(57)【特許請求の範囲】
【請求項１】
カーテン本体と、カーテン本体の上縁に沿って横方向に縫着されるフック取付け用のテープと、このテープに横方向に所定の相互間隔をおいて取り付けられる複数のフックとを具備し、
前記テープは、横方向に長いテープ基体と、このテープ基体のカーテンへの接合面と反対の面上に横方向に所定の相互間隔をおいて設けられた複数のポケット片とを備え、このポケット片は、左右両側縁が縦方向に前記テープ基体に融合して閉じ、少なくとも上側縁がテープ基体に対して自由に開放して、テープ基体との間にポケット部を形成しており、かつ前記融合部の上端が前記ポケット片の上端よりやや下方に配置されることにより融合部の上方に非融合部が形成され、  
前記フックは、選択された一の前記ポケット部に挿入して係止される係止部と、この係止部の上部から当該ポケット部の一方の融合部を越えて一方に隣接する他のポケット部側へ湾曲して延出するフック部とを具備し、かつ係止部とフック部とが、ほぼ同一平面上に並ぶように弾性合成樹脂で一体に形成され、
前記フックの係止部は、上部の弾性結合部から二股に分岐して下方へ伸びる一対の挿入脚と、これら挿入脚の対向面と反対側面に設けられた係合突子とを具備し、一対の挿入脚間を弾性的にやや閉じつつ前記一のポケット部内へ上方から挿入脚を圧入することによって、当該ポケット部の左右両側の融合部に係合突子を摩擦係合させるように構成され、
前記フックの係止部とフック部とが前記テープの面と平行になるようテープに装着され、フック部は前記隣接ポケット片上に露出させ、あるいは隣接ポケット部内に収納できるように構成され、
前記フックは、前記弾性結合部に連続し、前記係止部を挿入した前記ポケット部の他方の融合部を越えて他方に隣接する他のポケット部側へ湾曲して延出する引掛部をさらに有し、この引掛部が係止部を挿入した前記ポケット部の他方の融合部の上縁に掛かることにより上下方向に位置決めされ、かつこの状態で前記フック部の頂部がポケット部の上縁を越える位置に配置されるよう引掛部がフック部の頂部より下方に配置されることを特徴とするカーテン。
【請求項２】
前記フックの一対の挿入脚は、前記フック部と引掛部との間を圧縮するように押圧することにより、前記弾性結合部を撓ませて前記一対の挿入脚間を閉じるように操作可能であり、それによって前記ポケット部に対して挿入脚が着脱自在であることを特徴とする請求項１に記載のカーテン。
【発明の詳細な説明】
【０００１】
【発明の属する技術分野】
本発明は、フックを装着したままで洗濯、アイロンかけを支障なく行うことができるカーテンに関するものである。
【０００２】
【従来の技術】
カーテン本体と、カーテン本体の上縁に沿って横方向に縫着されるフック取付け用のテープと、このテープに横方向に所定の相互間隔をおいて取り付けられる複数の弾性合成樹脂製フックとを具備するカーテンであって、フックを装着したまま洗濯やアイロンかけを支障なく行うことができるものが、特開平１１−２５３３０１号の公報に記載されている。
【０００３】
このカーテンは、フックをカーテン面と平行になるようにテープ上のポケット部へ取り付けて構成される。テープは、横方向に連続的に並んで設けられた複数のポケット部を有する。フックは、ポケット部へ挿入して係止される係止部と、このポケット部から延出して湾曲したフック部とを有する。係止部は、ほぼＵ字状に湾曲した杆で、それの外側縁から係合突子を上広がりに傾斜して延出させてある。フック部は、隣接する他のポケット部内へ収納したり、露出させたりすることができる。フック部は、使用時には露出させ、洗濯時にはポケット部内へ収納して絡まりを防止する。
このフックは、Ｕ字状の係止部の上端部を指で摘んで上端部間を接近させるように弾性的に撓ませた状態でポケット部に対して抜き差しできるが、Ｕ字状であるために下部は縮小しにくく、従って、ポケット部に対する抜き差しの操作が必ずしも容易でない。
【０００４】
【発明が解決しようとする課題】
従って、本発明は、フックを装着したままで洗濯、アイロンかけを支障なく行うことができるカーテンであって、フックをテープ上へ着脱する操作がより容易なものを提供することを課題としている。
【０００５】
【課題を解決するための手段】
本発明においては、上記課題を解決するため、カーテン本体２と、それの上縁に横方向に縫着されるフック取付け用のテープ３と、このテープ３に横方向に所定の相互間隔をおいて取り付けられる複数のフック４とを具備させてカーテン１を構成する。テープ３は、横方向に長いテープ基体５と、このテープ基体５のカーテン本体２への接合面と反対の面上に横方向に所定の相互間隔をおいて設けられた複数のポケット片６ａ，６ｂとを具備させる。ポケット片６ａ，６ｂは、左右両側縁が縦方向にテープ基体５に融合し、少なくとも上側縁がテープ基体５に対して自由に開放して、テープ基体５との間にポケット部７ａ，７ｂを形成する。フック４は、ポケット部７ａに挿入して係止される係止部１０と、この係止部１０の上部から当該ポケット部７ａの例えば図１において右側の融合部８を越えて、隣接する他のポケット部７ｂ側へ湾曲して延出するフック部１１とを具備させる。そして、係止部１０とフック部１１とが、ほぼ同一平面上に並ぶように弾性合成樹脂で一体に形成する。係止部１０は、上部の弾性結合部１２から二股に分岐して下方へ伸びる一対の挿入脚１０ａ，１０ａと、これら挿入脚１０ａの外側面に設けられた係合突子１０ｂとを具備させる。一対の挿入脚１０ａ，１０ａ間を弾性的にやや閉じつつポケット部７ａ内へ上方から挿入脚１０ａ，１０ａを圧入することによって、ポケット部７ａの左右両側の融合部８に係合突子１０ｂを摩擦係合させる。そして、係止部１０とフック部１１とがテープ３の面と平行になるようにフック４をテープ３に装着する。フック部１１は、ポケット部７ａの上縁を超えて隣接するポケット片６ｂ上に露出させ、あるいは隣接するポケット部７ａ内に収納できるようにする。
フック４の弾性結合部１２に連続して、例えば図１において左側の融合部８を越えて隣接する他のポケット部７ｂ側へ湾曲して延出できる引掛部１３をさらに設けることにより、引掛部１３で係止部１０の下方への抜け出しを阻止する。
【０００６】
【発明の実施の形態】
図面を参照して本発明の実施の形態を説明する。図１はカーテンの正面図、図２はカーテンの一部の拡大正面図、図３は図１におけるIII−III断面図、図４はテープの正面図、図５はテープの平面図、図６はフックの正面図である。
【０００７】
図１において、カーテン１は、カーテン本体２の上縁に沿って横方向にフック取付け用のテープ３を縫着し、これに所定間隔でフック４を装着して成る。
【０００８】
図１ないし図４に示すように、テープ３は、横方向に長いテープ基体５と、このテープ基体５のカーテンへの縫着面と反対の面上に横方向に所定の相互間隔をおいて設けられた複数のポケット片６ａ，６ｂとを備える。図示の実施形態においてポケット片６ａとポケット片６ｂとは連続したものとして構成されており、ポケット片６ｂがポケット片６ａより幅広く構成されている。しかし、これに限定されることはない。テープ基体５とポケット片６ａ，６ｂとは、編物又は織物にて一体に構成することができる。
【０００９】
ポケット片６ａ，６ｂは、左右両側縁が縦方向にテープ基体５に融合して閉じ、上下の両縁がテープ基体５に対して自由に開放しており、テープ基体５との間に上下が開放したポケット部７ａ，７ｂを形成している。ポケット片６ａ，６ｂとテープ基体５との融合部８は、ポケット片６の縦方向の幅より短く形成され、従って、融合部８の上下に非融合部９（図４）が形成されている。
【００１０】
図６に示すように、フック４は、弾性合成樹脂で一体成型して成り、テープ３へ係止される係止部１０と、図示しないカーテンランナへ掛けられるフック部１１とを具備する。係止部１０とフック部１１とは、ほぼ同一平面上に配置され、テープ５の面と平行になるようテープ５に装着される（図１乃至図３）。
【００１１】
係止部１０は、上部の弾性結合部１２から二股に分岐して下広がりに下方へ伸びる一対の挿入脚１０ａと、これら挿入脚１０ａの拡開側の側面に設けられた係合突子１０ｂとを具備し、一対の挿入脚１０ａ，１０ａ間を弾性的にやや閉じつつポケット部７ａ内へ上方から挿入脚１０ａ，１０ａを圧入することによって、当該ポケット部７ａの左右両側の融合部８に係合突子１０ｂを摩擦係合（図１、図２）させるように構成される。
【００１２】
フック部１１は、ポケット部７ａの上縁を越えて、図１、図２において右側に隣接するポケット片６ｂ側へ湾曲して延出できるように構成され、ポケット片６ｂ上に露出させ（図２右側）、あるいはポケット７ｂ部内に収納（図左右側）できる。
弾性結合部１２に連続して、フック部１１と反対側に引掛部１３が設けられている。引掛部１３は、係止部１０を挿入したポケット部７ａの図１、図２において左側の融合部８を越えて隣接する他のポケット部７ｂ側へ湾曲して延出できる引掛部１３が設けられている。この引掛部１３が、ポケット部７ａの左側の融合部８の上縁に掛かることにより、係止部１０の下方への抜け出しが阻止される。
【００１３】
カーテン１をランナに吊るときには、図２の右側のフック４のように、フック部１１を、当該ポケット部７ａの上縁を超えてポケット片６ｂ上に露出させる。洗濯時、あるいはアイロンかけ時には、図２の左側のフック４のように、フック部１１をポケット部７ｂ内に収納する。こうすれば洗濯時にフック４同士が絡み合ったり、アイロン掛けの邪魔になることがない。フック部１１の収納、露出は容易である。
【００１４】
上記実施形態においては、フック４をカーテン１から取り外すことを予定していない。フック４をカーテン１から取り外すことができるようにする場合には、例えば図７、図８に示すようにフック４を構成することができる。この場合、引掛部１３とフック部１１との間を圧縮するように指で摘んで押圧することにより、弾性結合部１２を弾性的に撓ませて、一対の挿入脚１０ａ，１０ａの先端部間を閉じるように操作することができる。それによって、ポケット部７ａに対して挿入脚１０を抜き差しすることができる。
【発明の効果】
以上のように、本発明においては、フックを装着したままで洗濯、アイロンかけを支障なく行うことができるカーテンであって、フックをテープ上へ着脱する操作がより容易で、しかも容易に脱落することがないものを提供できる。
【図面の簡単な説明】
【図１】カーテンの正面図である。
【図２】カーテンの一部の拡大正面図である。
【図３】図１におけるIII−III断面図である。
【図４】テープの正面図である。
【図５】テープの平面図である。
【図６】フックの正面図である。
【図７】他の実施形態のカーテンの正面図である。
【図８】他の実施形態のフックの正面図である。
【符号の説明】
１      カーテン
２      カーテン本体
３      テープ
４      フック
５      テープ基体
６ａ    ポケット片
６ｂ    ポケット片
７ａ    ポケット部
７ｂ    ポケット部
８      融合部
１０    係止部
１０ａ  係合突子
１１    フック部
１２    弾性結合部
１３    引掛部
【図１】
0003670540.tif 000002
【図２】
0003670540.tif 000003
【図３】
0003670540.tif 000004
【図４】
0003670540.tif 000005
【図５】
0003670540.tif 000006
【図６】
0003670540.tif 000007
【図７】
0003670540.tif 000008
【図８】
0003670540.tif 000009